(57)【特許請求の範囲】
【請求項１】
床面に形成された開口部を覆う安全ネットと、前記安全ネットの両側に所定の間隔を持って取り付けられる複数のランナーを摺動自由に案内する案内手段と、前記安全ネットの一辺が取り付けられる固定フレームと、この固定された一辺と相対する安全ネットの一辺が取り付けられる移動フレームと、前記安全ネットが開口部を覆う展開位置と開口部を開いて折り畳まれる格納位置にわたって前記移動フレームを移動させる駆動手段とを備え、前記安全ネットがその格納状態にて前記移動フレームと固定フレームの間に挟まれるようにして折り畳まれることを特徴とする落下防止装置。
【発明の詳細な説明】
【０００１】
【発明の属する技術分野】
本発明は、舞台装置であるせりに用いられる落下防止装置の改良に関する。
【０００２】
【従来の技術】
劇場等では、舞台や花道の床面の一部を、上下方向に移動可能な可動床面（せり）に形成し、床面下方に形成した地下室（奈落）から、このせりに乗った俳優や大道具をせり上げることにより、演出効果を上げるようになっている。
【０００３】
ところで、このようなせりが奈落に下がっており、床面の一部に開口部が形成されているときには、奈落への人や物の落下を防止する必要があり、このため、従来から、この開口部の下方には落下防止装置が設けられている。
【０００４】
このような落下防止装置としては、例えば、跳ね上げ式のもの、またはスライド式のものがある。
【０００５】
このうち跳ね上げ式のものは、長方形の鋼製フレームの間に安全ネットを張った一対の扉を、開口部の下方に観音開きに設置した構造のものであり、せりが下がっているときには、開口部に向かって扉が閉じられることにより、開口部を安全ネットで塞ぐようになっている。
【０００６】
また、スライド式のものは、安全ネットが開口面に沿ってシャッタ扉のようにスライドするようになっており、せりが下がっているときには、安全ネットが開口部の下部に沿って滑り込み、開口部下方の全面を覆うようになっている。
【０００７】
【発明が解決しようとする課題】
しかしながら、このような従来の落下防止装置には、つぎのような不都合がある。
【０００８】
すなわち、跳ね上げ式のものでは、安全ネットで開口部を塞いだときには、開口部の中央部分には、左右の扉の鋼製フレームがあるため、人等が落下したときには、これが障害物となり危険である。
【０００９】
また、スライド式のものは、安全ネットが開口部から外された開放時には、この安全ネットを収容するための広いスペースが必要となり、奈落内の空間の有効利用を妨げる。
【００１０】
本発明は、このような問題点に着目して、省スペースで収納され、開口部に鋼製フレーム等の障害物をもたない落下防止装置を提供することを目的とする。
【００１１】
【課題を解決するための手段】
本発明は、床面に形成された開口部を覆う安全ネットと、前記安全ネットの両側に所定の間隔を持って取り付けられる複数のランナーを摺動自由に案内する案内手段と、前記安全ネットの一辺が取り付けられる固定フレームと、この固定された一辺と相対する安全ネットの一辺が取り付けられる移動フレームと、前記安全ネットが開口部を覆う展開位置と開口部を開いて折り畳まれる格納位置にわたって前記移動フレームを移動させる駆動手段とを備え、前記安全ネットがその格納状態にて前記移動フレームと固定フレームの間に挟まれるようにして折り畳まれる構成とした。
【００１２】
【作用】
本発明では、移動フレームが格納位置から展開位置にわたって移動するのにしたがって、安全ネットは案内手段により案内されて、コンパクトに折り畳まれた格納状態から、開口部の下方全面に障害物なく張られた展開状態へと移行し、開口部の使用状況に応じて、開口部を選択的に開き、また覆う。
【００１３】
【発明の実施の形態】
以下、添付図面に基づいて、本発明の実施の形態について説明する。
【００１４】
図１、図２に示す落下防止装置は、床面１に形成された開口部２の下方に配置される。
【００１５】
安全ネット３は、折り畳み可能な長方形のものであり、展開されたときには開口部２の下方を覆い切る大きさのものとされ、その一辺４が開口部２に対して不動な固定構造物１０ａに固設された梁状の固定フレーム５に固定されるとともに、この固定辺４と相対する移動辺６は梁状の移動フレーム７に固定される。
【００１６】
この移動フレーム７は両端において駆動チェーン１１と係合して、この駆動チェーン１１の循環にしたがって移動するが、このとき、図２、図３に示すように移動フレーム７の両端に備えられた一対のホイール１２が案内レール１３上に支持されながら案内されることにより、移動フレーム７は開口部２の下方を横切って、固定構造物１０ａ側の固定フレーム５に隣接した格納位置（図中実線で示す）から、反対側の固定構造物１０ｂ側の展開位置（図中想像線で示す）に至るようになっている。
【００１７】
ここで、駆動チェーン１１は固定構造物１０ａ側の駆動スプロケット１４から固定構造物１０ｂ側の従動スプロケット１５にかけて張り渡され、駆動スプロケット１４が回転軸１６を介してモータ１７によって回転することで駆動される。なお、移動フレーム７の駆動手段は、このような駆動チェーン１１に限られず、例えばワイヤーやラック等を用いることも可能である。
【００１８】
このように移動フレーム７が格納位置から展開位置にわたって移動し、これにしたがって安全ネット３の移動辺６が移動するときも、安全ネット３の固定辺４側は不動であるので、移動フレーム７が格納位置にあるときには、安全ネット３は固定フレーム５および移動フレーム７の押さえ部５ａ、７ａの間に折り畳まれた格納状態（図１において実線で示す）にあるが、移動フレーム７が展開位置に移動したときには、安全ネット３は図１、図２の矢印の閉方向に伸びだし、開口部２の下方全体を覆って広げられた展開状態（図１において想像線で示す）となる。
【００１９】
一方、図４に詳細に示すように、安全ネット３の両側部には、複数のランナー２０が所定の間隔で取り付けられる。また、固定構造物１０ａに固設されたバックル２１ａから、固定構造物１０ｂに固設されたバックル２１ｂにかけて、ワイヤロープ２２が張り渡される。
【００２０】
このワイヤロープ２２には、これらのランナー２０が係合するようになっており、安全ネット３は、ランナー２１を介してワイヤロープ２２に両側部を支持されつつ、格納状態から展開状態へと案内される。すなわち、安全ネット３は、展開状態においては、各ランナー２０によって垂れ下がらないように支持されるとともに、格納状態においては、ワイヤロープ２２の高さに支持される結果、折り畳まれた状態へと案内されて格納されるようになっている。
【００２１】
ここで、安全ネット３はロープを網目状に張り巡らせて形成したものであるが、ランナー２０が取り付けられる部分のロープ、および固定フレーム５と移動フレーム７に取り付けられる部分のロープを、径が太いロープ３ａとすることにより支持力を増している。図４には安全ネット３を構成するロープのうち、この太いロープ３ａのみを図示してある。
【００２２】
なお、ランナー２０の案内手段は、このようなワイヤロープ２２に限られず、例えばコの字型のレールにランナーを嵌合させたような構造のものであっても構わない。
【００２３】
つぎに作用を説明する。
【００２４】
床面１に形成された開口部２は、図示されないせりが上がってきて、これを塞ぐようになっているが、この間は移動フレーム７は格納位置にあり、安全ネット３は格納状態にある。このとき、安全ネット３は押さえ部５ａ、７ａの間にコンパクトに折り畳まれた状態にあるため省スペースであり、奈落内部の空間を有効に利用することができる。
【００２５】
さて、せりが奈落の下方に降りたままとなり、開口部２が開口状態にあり続けるときには、移動フレーム７は駆動チェーン１１により展開位置まで案内レール１３に沿って移動させられる。
【００２６】
このため、安全ネット３は、両側部を複数のランナー２０に支持されつつワイヤロープ２２に沿って案内されて広がって行き、開口部２の下面を覆う展開状態となる。このとき、安全ネット３は、固定フレーム５側の固定辺４から移動フレーム７側の移動辺６にかけて、開口部２の下方全域にわたって障害物なく張られており、また四辺を支持されているので、人や物の落下時にも、固い枠等の障害物に当たる危険がなく、これらは安全ネット３によって安全かつ確実に保持される。
【００２７】
このように、本発明によれば、省スペースであり、かつ安全性が高い落下防止装置が得られる。
【００２８】
【発明の効果】
本発明によれば、安全ネットが格納状態にあるときには、安全ネットはコンパクトに折り畳まれた状態に案内されるため、省スペースであり、奈落内部の空間を有効に利用することができるとともに、安全ネットが展開状態にあるときには、安全ネットは開口部下方全面に障害物なく張られているので、人や物の落下時にも、これらは固い枠等の障害物に当たる危険がなく、安全ネットによって安全かつ確実に保持される。
【図面の簡単な説明】
【図１】本発明の実施の形態を示す側面図である。
【図２】同じく平面図である。
【図３】同じく平面図の一部を拡大した図である。
【図４】同じく一部斜視図である。
【符号の説明】
１  床面
２  開口部
３  安全ネット
４  固定辺
５  固定フレーム
６  移動辺
７  移動フレーム
１１  駆動チェーン
１４  駆動スプロケット
１７  モータ
２０  ランナー
２２  ワイヤロープ
【図１】
0003714716.tif 000002
【図２】
0003714716.tif 000003
【図３】
0003714716.tif 000004
【図４】
0003714716.tif 000005